【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  物体側から順に、明るさ絞り、像側に凸面を向けた第１正メニスカスレンズ、物体側に凸面を向けた第２負メニスカスレンズ、第３正レンズの順に配置され、次の条件式を満たすことを特徴とする結像光学系。
−０．３５＜ｒ1r／ｒ2f＜−０．０８                    ・・・（１）
−１．５＜ｒ1r／ｒ2r＜−０．７５                      ・・・（２）
ただし、ｒ1rは第１正レンズの像側面の光軸上曲率半径、ｒ2fは第２負レンズの物体側面の光軸上曲率半径、ｒ2rは第２負レンズの像側面の光軸上曲率半径である。
【請求項２】  前記第１正メニスカスレンズ又は前記第３正レンズはプラスチックからなることを特徴とする請求項１記載の結像光学系。
【請求項３】  前記第２負メニスカスレンズはプラスチックからなることを特徴とする請求項２記載の結像光学系。
【請求項４】  前記プラスチックはアモルファスポリオレフィン系の材料からなることを特徴とする請求項２記載の結像光学系。
【請求項５】  前記第２負メニスカスレンズのプラスチックはポリカーボネイト材料からなることを特徴とする請求項３記載の結像光学系。
【請求項６】  次の条件式の少なくとも何れかを満足することを特徴とする請求項１から５の何れか１項記載の結像光学系。
−０．３＜ｒ1r／ｒ2f＜−０．１                    ・・・（１−１）
−１．２＜ｒ1r／ｒ2r＜−０．８                    ・・・（２−１）
【請求項７】  物体側から順に、明るさ絞り、第１正レンズ、物体側に凸面を向けた第２負メニスカスレンズ、第３正レンズの順に配置され、次の条件式を満たすことを特徴とする結像光学系。
０．２＜ｒ2f／ｒ3f＜３．５                            ・・・（３）
ただし、ｒ2fは第２負レンズの物体側面の光軸上曲率半径、ｒ3fは第３正レンズの物体側面の光軸上曲率半径である。
【請求項８】  次の条件式を満足することを特徴とする請求項７記載の結像光学系。
０．４＜ｒ2f／ｒ3f＜２．５                        ・・・（３−１）
【請求項９】  請求項１から８の何れか１項において、次の条件式を満たすことを特徴とする結像光学系。
−０．７＜ｆ2 ／ｆ3 ＜−０．１                        ・・・（４）
ただし、ｆ2 は第２負レンズの焦点距離、ｆ3 は第３正レンズの焦点距離である。
【請求項１０】  次の条件式を満足することを特徴とする請求項９記載の結像光学系。
−０．５＜ｆ2 ／ｆ3 ＜−０．２５                  ・・・（４−１）
【請求項１１】  請求項１から１０の何れか１項において、次の条件式を満たすことを特徴とする結像光学系。
−２．０＜（ｒ3f＋ｒ3r）／（ｒ3f−ｒ3r）＜０．８      ・・・（５）
ただし、ｒ3fは第３正レンズの物体側面の光軸上曲率半径、ｒ3rは第３正レンズの像側面の光軸上曲率半径である。
【請求項１２】  次の条件式を満足することを特徴とする請求項１１記載の結像光学系。
−１．５＜（ｒ3f＋ｒ3r）／（ｒ3f−ｒ3r）＜０．５  ・・・（５−１）
【請求項１３】  請求項１から１２の何れか１項において、次の条件式を満たすことを特徴とする結像光学系。
１．２＜（ｒ2f＋ｒ2r）／（ｒ2f−ｒ2r）＜２．０        ・・・（６）
ただし、ｒ2fは第２負レンズの物体側面の光軸上曲率半径、ｒ2rは第２負レンズの像側面の光軸上曲率半径である。
【請求項１４】  次の条件式を満足することを特徴とする請求項１３記載の結像光学系。
１．４＜（ｒ2f＋ｒ2r）／（ｒ2f−ｒ2r）＜１．８    ・・・（６−１）
【請求項１５】  請求項１から１４の何れか１項において、第２負レンズの物体側の面は非球面からなり、次の条件式を満たすことを特徴とする結像光学系。
０．０１＜｜（ｒ2fs ＋ｒ2fa ）／（ｒ2fs −ｒ2fa ）−１｜＜１００
・・・（７）
ただし、ｒ2fs は第２負レンズの物体側面の光軸上曲率半径、ｒ2fa は第２負レンズの物体側面の非球面を考慮した曲率半径の中の光学有効範囲内で光軸上曲率半径との差が最も変化したときの値である。
【請求項１６】  次の条件式を満足することを特徴とする請求項１５記載の結像光学系。
０．１＜｜（ｒ2fs ＋ｒ2fa ）／（ｒ2fs −ｒ2fa ）−１｜＜１０．０
・・・（７−１）
【請求項１７】  請求項１から１６の何れか１項において、第２負レンズの像側の面は非球面からなり、次の条件式を満たすことを特徴とする結像光学系。
０．０１＜｜（ｒ2rs ＋ｒ2ra ）／（ｒ2rs −ｒ2ra ）−１｜＜１００
・・・（８）
ただし、ｒ2rs は第２負レンズの像側面の光軸上曲率半径、ｒ2ra は第２負レンズの像側面の非球面を考慮した曲率半径の中の光学有効範囲内で光軸上曲率半径との差が最も変化したときの値である。
【請求項１８】  次の条件式を満足することを特徴とする請求項１７記載の結像光学系。
０．０５＜｜（ｒ2rs ＋ｒ2ra ）／（ｒ2rs −ｒ2ra ）−１｜＜１０．０
・・・（８−１）
【請求項１９】  請求項１から１８の何れか１項において、第３正レンズの物体側の面は非球面からなり、次の条件式を満たすことを特徴とする結像光学系。
０．０１＜｜（ｒ3fs ＋ｒ3fa ）／（ｒ3fs −ｒ3fa ）−１｜＜１００
・・・（９）
ただし、ｒ3fs は第３正レンズの物体側面の光軸上曲率半径、ｒ3fa は第３正レンズの物体側面の非球面を考慮した曲率半径の中の最大像高の主光線が通過するポイントより内側の範囲で光軸上曲率半径との差が最も変化したときの値である。
【請求項２０】  次の条件式を満足することを特徴とする請求項１９記載の結像光学系。
０．０５＜｜（ｒ3fs ＋ｒ3fa ）／（ｒ3fs −ｒ3fa ）−１｜＜１０
・・・（９−１）
【請求項２１】  請求項１から２０の何れか１項において、第３正レンズの像側の面は非球面からなり、次の条件式を満たすことを特徴とする結像光学系。
０．０１＜｜（ｒ3rs ＋ｒ3ra ）／（ｒ3rs −ｒ3ra ）−１｜＜１００
・・・（10）
ただし、ｒ3rs は第３正レンズの像側面の光軸上曲率半径、ｒ3ra は第３正レンズの像側面の非球面を考慮した曲率半径の中の最大像高の主光線が通過するポイントより内側の範囲で光軸上曲率半径との差が最も変化したときの値である。
【請求項２２】  次の条件式を満足することを特徴とする請求項２１記載の結像光学系。
０．０５＜｜（ｒ3rs ＋ｒ3ra ）／（ｒ3rs −ｒ3ra ）−１｜＜１０
・・・（10−１）
【請求項２３】  請求項１から２２の何れか１項において、次の条件式を満たすことを特徴とする結像光学系。
１０°＜α＜４０°                                    ・・・（11）
ただし、αは最大像高における主光線の像面への入射角度である。
【請求項２４】  次の条件式を満たすことを特徴とする請求項２３記載の結像光学系。
１５°＜α＜３５°                                ・・・（11−１）
【請求項２５】  請求項１から２４の何れか１項記載の結像光学系と、その像側に配された電子撮像素子を備えたことを特徴とする電子撮像装置。
【請求項２６】  結像光学系の半画角が３０°よりも大きく５０°よりも小さいことを特徴とする請求項２５記載の電子撮像装置。